(57)【要約】【課題】双方向遮断を行なった後、波長多重伝送装置の電源投入またはリセットに時間差が生じた場合でもシステムがデッドロックしない波長多重伝送装置、デッドロック防止方法、および波長多重伝送システムを提供する。【解決手段】リモートインターフェイス部３は、電源投入またはリセット後に主信号１６を正常受信し、かつ対局正常受信通知１５を検出すると、主信号７，１６が正常に送受信されていることを示す自対局正常受信通知８を保持回路４へ出力する。保持回路４は自対局正常受信通知８を保持すると同時に、以後主信号１６が伝送路上等で切断された場合に主信号７を遮断する許可を与える出力遮断有効信号９を出力遮断制御部５に出力する。【選択図】　　　　図１
2004015084.tif 000002
【特許請求の範囲】
【請求項１】
光信号遮断機能を備えた波長多重伝送装置であって、
光信号の送受信がともに正常かどうかを検出する正常送受信検出手段と、
前記正常送受信検出手段によって前記光信号の送受信がともに正常であることが確認された場合に限り、以降に前記光信号を正常に受信できない時、前記光信号の出力を遮断する出力遮断制御手段とを備えた、波長多重伝送装置。
【請求項２】
光信号遮断機能を備えた波長多重伝送装置であって、
前記波長多重伝送装置の電源投入またはリセット後、他の波長多重伝送装置に光信号が正常に送信されたかどうかを、前記他の波長多重伝送装置から光信号を正常に受信したかどうかとともに検出するリモートインターフェイス手段と、
前記リモートインターフェイス手段による検出結果を保持する保持回路と、
前記保持された検出結果によって前記光信号の送受信がともに正常であることが確認された場合に限り、以降に前記他の波長多重伝送装置からの光信号を正常に受信できない時、前記他の波長多重伝送装置への光信号の出力を遮断する出力遮断制御手段とを備えた、波長多重伝送装置。
【請求項３】
光信号遮断機能を備えた波長多重伝送装置であって、
前記波長多重伝送装置の電源投入またはリセット後、他の波長多重伝送装置から光信号を正常に受信したかどうかを検出するリモートインターフェイス手段と、
前記リモートインターフェイス手段による検出結果を、前記他の波長多重伝送装置に光信号が正常に送信されたかどうかとともに検出する監視制御手段と、
前記監視制御手段による検出結果を保持する保持回路と、
前記保持された検出結果によって前記光信号の送受信がともに正常であることが確認された場合に限り、以降に前記他の波長多重伝送装置からの光信号を正常に受信できない時、前記他の波長多重伝送装置への光信号の出力を遮断する出力遮断制御手段とを備えた、波長多重伝送装置。
【請求項４】
光信号遮断機能を備えた波長多重伝送装置におけるデッドロック防止方法であって、
光信号の送受信がともに正常かどうかを検出するステップと、
前記正常送受信検出手段によって前記光信号の送受信がともに正常であることが確認された場合に限り、以降に前記光信号を正常に受信できない時、前記光信号の出力を遮断するステップとを備えた、デッドロック防止方法。
【請求項５】
光信号遮断機能を備えた波長多重伝送装置におけるデッドロック防止方法であって、
前記波長多重伝送装置の電源投入またはリセット後、他の波長多重伝送装置に光信号が正常に送信されたかどうかを、前記他の波長多重伝送装置から光信号を正常に受信したかどうかとともに検出するステップと、
前記リモートインターフェイス手段による検出結果を保持するステップと、
前記保持された検出結果によって前記光信号の送受信がともに正常であることが確認された場合に限り、以降に前記他の波長多重伝送装置からの光信号を正常に受信できない時、前記他の波長多重伝送装置への光信号の出力を遮断するステップとを備えた、デッドロック防止方法。
【請求項６】
光信号遮断機能を備えた波長多重伝送装置におけるデッドロック防止方法であって、
前記波長多重伝送装置の電源投入またはリセット後、他の波長多重伝送装置から光信号を正常に受信したかどうかを検出するステップと、
前記リモートインターフェイス手段による検出結果を、前記他の波長多重伝送装置に光信号が正常に送信されたかどうかとともに検出するステップと、
前記監視制御手段による検出結果を保持するステップと、
前記保持された検出結果によって前記光信号の送受信がともに正常であることが確認された場合に限り、以降に前記他の波長多重伝送装置からの光信号を正常に受信できない時、前記他の波長多重伝送装置への光信号の出力を遮断するステップとを備えた、デッドロック防止方法。
【請求項７】
双方向光信号遮断機能を備えた波長多重伝送システムであって、
複数の波長多重伝送装置と、
前記複数の波長多重伝送装置を相互に接続する伝送路とを備え、
前記波長多重伝送装置は、請求項１から３のいずれかに記載の波長多重伝送装置である、波長多重伝送システム。
【発明の詳細な説明】
【０００１】
【発明の属する技術分野】
この発明は、波長多重伝送装置、デッドロック防止方法、および波長多重伝送システムに関し、より特定的には、光信号遮断機能を備えた波長多重伝送装置、デッドロック防止方法、およびそのような波長多重伝送装置を含む波長多重伝送システムに関する。
【０００２】
【従来の技術】
図５は、従来の波長多重伝送システムを示した機能ブロック図である。
【０００３】
図５に示す従来の波長伝送システムは、トランスポンダ１から構成される一方の波長多重伝送装置とトランスポンダ１０から構成される他方の波長多重伝送装置とを伝送路を介して対向配置した構成となっている。
【０００４】
トランスポンダ１は、クライアントインターフェイス部２と、リモートインターフェイス部３と、出力遮断制御部５とを備え、トランスポンダ１０は、クライアントインターフェイス部１１と、リモートインターフェイス部１２と、出力遮断制御部１４とを備える。
【０００５】
リモートインターフェイス部３は、電源投入またはリセット後、一定時間主信号７を出力する。この主信号７が出力されてから一定時間以内にリモートインターフェイス部１２を電源投入またはリセットすることで、リモートインターフェイス部１２は主信号７を正常受信することができる。
【０００６】
同様に、リモートインターフェイス部１２は、電源投入またはリセット後、一定時間主信号１６を出力し、この主信号１６が出力されてから一定時間以内にリモートインターフェイス部３を電源投入またはリセットすることで、リモートインターフェイス部３は主信号１６を正常受信することができる。
【０００７】
図５に示すように、伝送路のファイバコネクタが外れる（ファイバ断）など何らかの原因で主信号１６が伝送路上で切断されると、リモートインターフェイス部３は主信号１６の受信断検出信号１９を出力遮断制御部５へ出力する。出力遮断制御部５は、これに応じてリモートインターフェイス部３へ主信号７の出力遮断指示信号２０を出力することによって主信号７を遮断する。こうして主信号７が遮断されると、リモートインターフェイス部１２は主信号７の受信断検出信号２１を出力遮断制御部１４へ出力する。出力遮断制御部１４は、これに応じてリモートインターフェイス部１２へ主信号１６の出力遮断指示信号２２を出力することによって主信号１６を遮断する。なお、上述の主信号遮断動作は、主信号７が伝送路上で切断された場合も同様である。
【０００８】
これら一連の動作により、図５に示す波長伝送システムの双方向遮断が行なわれるので、伝送路上の何らかの障害により主信号が切断された場合に高レベルの光出力が漏れ出すことが防止され、波長伝送システムの安全性が確保される。なお、クライアントインターフェイス部２，１１は加入者側主信号の送受信を行なうが、本発明とは直接関係しないので、ここでは詳述しない。
【０００９】
【発明が解決しようとする課題】
上記のような従来の波長伝送システムは、双方向遮断を行なった後に伝送路の障害部位を修復し光伝送を再開しようとする際、２つのリモートインターフェイス部の電源投入またはリセットに時間差が生じると、システムがデッドロックに陥る可能性がある。
【００１０】
すなわち、従来の波長伝送システムは、上述の手順による双方向遮断を行なった後、たとえばリモートインターフェイス部３を先に電源投入またはリセットしてから一定時間後にリモートインターフェイス部１２の電源投入またはリセットを行なうと、リモートインターフェイス部３に主信号１６が到達していない時間が生じ、リモートインターフェイス部３は主信号１６が伝送路上で切断されていると誤認識する可能性がある。その結果、出力遮断制御部５は主信号７を遮断しようとして、システムがデッドロックに陥るという問題があった。
【００１１】
それゆえに、この発明の目的は、双方向遮断を行なった後、一方のリモートインターフェイス部を先に電源投入またはリセットしてから一定時間後に他方のリモートインターフェイス部を電源投入またはリセットしてもシステムがデッドロックしない波長多重伝送装置、デッドロック防止方法、および波長多重伝送システムを提供することである。
【００１２】
【課題を解決するための手段】
この発明は、光信号遮断機能を備えた波長多重伝送装置であって、光信号の送受信がともに正常かどうかを検出する正常送受信検出手段と、正常送受信検出手段によって光信号の送受信がともに正常であることが確認された場合に限り、以降に光信号を正常に受信できない時、光信号の出力を遮断する出力遮断制御手段とを備える。
【００１３】
この発明の別の局面によれば、光信号遮断機能を備えた波長多重伝送装置であって、波長多重伝送装置の電源投入またはリセット後、他の波長多重伝送装置に光信号が正常に送信されたかどうかを、他の波長多重伝送装置から光信号を正常に受信したかどうかとともに検出するリモートインターフェイス手段と、リモートインターフェイス手段による検出結果を保持する保持回路と、保持された検出結果によって光信号の送受信がともに正常であることが確認された場合に限り、以降に他の波長多重伝送装置からの光信号を正常に受信できない時、他の波長多重伝送装置への光信号の出力を遮断する出力遮断制御手段とを備える。
【００１４】
この発明の別の局面によれば、光信号遮断機能を備えた波長多重伝送装置であって、波長多重伝送装置の電源投入またはリセット後、他の波長多重伝送装置から光信号を正常に受信したかどうかを検出するリモートインターフェイス手段と、リモートインターフェイス手段による検出結果を、他の波長多重伝送装置に光信号が正常に送信されたかどうかとともに検出する監視制御手段と、監視制御手段による検出結果を保持する保持回路と、保持された検出結果によって光信号の送受信がともに正常であることが確認された場合に限り、以降に他の波長多重伝送装置からの光信号を正常に受信できない時、他の波長多重伝送装置への光信号の出力を遮断する出力遮断制御手段とを備える。
【００１５】
この発明の他の局面によれば、光信号遮断機能を備えた波長多重伝送装置におけるデッドロック防止方法であって、光信号の送受信がともに正常かどうかを検出するステップと、正常送受信検出手段によって光信号の送受信がともに正常であることが確認された場合に限り、以降に光信号を正常に受信できない時、光信号の出力を遮断するステップとを備える。
【００１６】
この発明の別の局面によれば、光信号遮断機能を備えた波長多重伝送装置におけるデッドロック防止方法であって、波長多重伝送装置の電源投入またはリセット後、他の波長多重伝送装置に光信号が正常に送信されたかどうかを、他の波長多重伝送装置から光信号を正常に受信したかどうかとともに検出するステップと、リモートインターフェイス手段による検出結果を保持するステップと、保持された検出結果によって光信号の送受信がともに正常であることが確認された場合に限り、以降に他の波長多重伝送装置からの光信号を正常に受信できない時、他の波長多重伝送装置への光信号の出力を遮断するステップとを備える。
【００１７】
この発明の別の局面によれば、光信号遮断機能を備えた波長多重伝送装置におけるデッドロック防止方法であって、波長多重伝送装置の電源投入またはリセット後、他の波長多重伝送装置から光信号を正常に受信したかどうかを検出するステップと、リモートインターフェイス手段による検出結果を、他の波長多重伝送装置に光信号が正常に送信されたかどうかとともに検出するステップと、監視制御手段による検出結果を保持するステップと、保持された検出結果によって光信号の送受信がともに正常であることが確認された場合に限り、以降に他の波長多重伝送装置からの光信号を正常に受信できない時、他の波長多重伝送装置への光信号の出力を遮断するステップとを備える。
【００１８】
この発明の他の局面によれば、双方向光信号遮断機能を備えた波長多重伝送システムであって、複数の波長多重伝送装置と、複数の波長多重伝送装置を相互に接続する伝送路とを備える。
【００１９】
したがって、この発明によれば、光信号の送受信がともに正常であることが確認された場合に限り主信号遮断動作を行なうことで、伝送路上で主信号が切断された際、デッドロックを引き起こすことなく双方向遮断を行なうことが可能となる。
【００２０】
【発明の実施の形態】
以下、この発明の実施の形態について図面を参照して詳しく説明する。なお、図中同一または相当部分には同一符号を付してその説明は繰り返さない。
【００２１】
［実施の形態１］
図１および図２は、この発明の実施の形態１による波長多重伝送システムの構成を示す機能ブロック図である。
【００２２】
図１および図２に示す実施の形態１の波長伝送システムは、トランスポンダ１から構成される一方の波長多重伝送装置とトランスポンダ１０から構成される他方の波長多重伝送装置とを伝送路を介して対向配置した構成となっている。
【００２３】
トランスポンダ１は、クライアントインターフェイス部２と、リモートインターフェイス部３と、保持回路４と、出力遮断制御部５とを備え、トランスポンダ１０は、クライアントインターフェイス部１１と、リモートインターフェイス部１２と、保持回路１３と、出力遮断制御部１４とを備える。
【００２４】
リモートインターフェイス部３は、電源投入またはリセット後、リモートインターフェイス部１２から出力される主信号１６を正常受信すると、主信号１６を正常受信したことを示す対局正常受信通知６を主信号７の空き領域に多重してリモートインターフェイス部１２に送信する。同様に、リモートインターフェイス部１２は、電源投入またはリセット後、リモートインターフェイス部３から出力される主信号７を正常受信すると、主信号７を正常受信したことを示す対局正常受信通知１５を主信号１６の空き領域に多重してリモートインターフェイス部３に送信する。
【００２５】
リモートインターフェイス部３は、主信号１６を正常受信し、かつ対局正常受信通知１５を検出すると、主信号７，１６が正常に送受信されていることを示す自対局正常受信通知８を保持回路４へ出力する。保持回路４は自対局正常受信通知８を保持し、以後主信号１６が伝送路上等で切断された場合に主信号７を遮断する許可を与える受信断時出力遮断有効信号９を出力遮断制御部５に出力する。
【００２６】
同様に、リモートインターフェイス部１２は、主信号７を正常受信し、かつ対局正常受信通知６を検出すると、主信号７，１６が正常に送受信されていることを示す自対局正常受信通知１７を保持回路１３へ出力する。保持回路１３は自対局正常受信通知１７を保持し、以後主信号７が伝送路上等で切断された場合に主信号１６を遮断する許可を与える受信断時出力遮断有効信号１８を出力遮断制御部１４に出力する。
【００２７】
受信断時出力遮断有効信号９，１８が出力遮断制御部５，１４にそれぞれ出力された後、図２に示すようにファイバ断などによって主信号１６が切断されると、リモートインターフェイス部３は主信号１６の受信断検出信号１９を出力遮断制御部５に出力する。出力遮断制御部５は、これに応じてリモートインターフェイス部３へ主信号７の出力遮断指示信号２０を出力することによって主信号７を遮断する。こうして主信号７が遮断されると、リモートインターフェイス部１２は主信号７の受信断検出信号２１を出力遮断制御部１４へ出力する。出力遮断制御部１４は、これに応じてリモートインターフェイス部１２へ主信号１６の出力遮断指示信号２２を出力することによって主信号１６を遮断する。なお、上述の主信号遮断動作は、主信号７が伝送路上で切断された場合も同様である。
【００２８】
このように、出力遮断制御部に受信断時出力遮断有効信号が出力された場合にのみ主信号遮断動作を行なうことで、実施の形態１の波長多重伝送システムは、伝送路上で主信号が切断された際、デッドロックを引き起こすことなく双方向遮断を行なうことが可能となる。なお、クライアントインターフェイス部２，１１は加入者側主信号の送受信を行なうが、本発明とは直接関係しないのでここでは詳述しない。
【００２９】
図３は、この発明の実施の形態１による波長多重伝送システムのデッドロック防止動作の一例を示すシーケンス図である。
【００３０】
まず、リモートインターフェイス部３と、保持回路４と、出力遮断制御部５とを含むトランスポンダ１全体の電源投入またはリセットを行なった後、リモートインターフェイス部３は、リモートインターフェイス部１２に主信号７を送信する。
【００３１】
主信号７が送信された後、リモートインターフェイス部１２と、保持回路１３と、出力遮断制御部１４とを含むトランスポンダ１０全体の電源投入またはリセットを行なう。
【００３２】
リモートインターフェイス部１２は、電源投入またはリセット後、リモートインターフェイス部３から送信される主信号７を正常受信すると、主信号７を正常受信したことを示す対局正常受信通知１５を主信号１６の空き領域に多重してリモートインターフェイス部３に出力する。
【００３３】
リモートインターフェイス部３は、リモートインターフェイス部１２から出力される主信号１６を正常受信すると、主信号１６を正常受信したことを示す対局正常受信通知６を主信号７の空き領域に多重してリモートインターフェイス部１２に出力する。
【００３４】
また、リモートインターフェイス部３は、主信号１６を正常受信し、かつ対局正常受信通知１５を検出すると、そのことを示す自対局正常受信通知８を保持回路４へ出力する。保持回路４は自対局正常受信通知８を保持し、以後主信号１６が伝送路上等で切断された場合に主信号７を遮断する許可を与える受信断時出力遮断有効信号９を出力遮断制御部５に出力する。
【００３５】
同様に、リモートインターフェイス部１２は、主信号７を正常受信し、かつ対局正常受信通知６を検出すると、そのことを示す自対局正常受信通知１７を保持回路１３へ出力する。保持回路１３は自対局正常受信通知１７を保持し、以後主信号７が伝送路上等で切断された場合に主信号１６を遮断する許可を与える受信断時出力遮断有効信号１８を出力遮断制御部１４に出力する。
【００３６】
受信断時出力遮断有効信号９，１８が出力遮断制御部５，１４にそれぞれ出力された後、図３に示すように主信号１６がファイバ断などによって切断されると、リモートインターフェイス部３は主信号１６の受信断検出信号１９を出力遮断制御部５に出力する。出力遮断制御部５は、これに応じてリモートインターフェイス部３へ主信号７の出力遮断指示信号２０を出力することによって主信号７を遮断する。こうして主信号７が遮断されると、リモートインターフェイス部１２は主信号７の受信断検出信号２１を出力遮断制御部１４へ出力する。出力遮断制御部１４は、これに応じてリモートインターフェイス部１２へ主信号１６の出力遮断指示信号２２を出力することによって、主信号１６を遮断する。なお、上述の主信号遮断動作は、主信号７が伝送路上で切断された場合も同様である。このようにして主信号の双方向遮断が行なわれる。
【００３７】
主信号の双方向遮断が行なわれた後、コネクタ外れ等の修復を行なうことによって伝送路の切断（ファイバ断）を復旧する。伝送路の切断を復旧した後、今度はたとえばトランスポンダ１０のリセットを先に行ない、リモートインターフェイス部１２は、リモートインターフェイス部３に主信号１６を送信する。
【００３８】
主信号１６が送信された後、トランスポンダ１のリセットを行ない、リモートインターフェイス部３は、リモートインターフェイス部１２から送信される主信号１６を正常受信すると、主信号１６を正常受信したことを示す対局正常受信通知６を主信号７の空き領域に多重してリモートインターフェイス部１２に出力する。
【００３９】
リモートインターフェイス部１２は、リモートインターフェイス部３から出力される主信号７を正常受信すると、主信号７を正常受信したことを示す対局正常受信通知１５を主信号１６の空き領域に多重してリモートインターフェイス部３に出力する。
【００４０】
また、リモートインターフェイス部１２は、主信号７を正常受信し、かつ対局正常受信通知６を検出すると、そのことを示す自対局正常受信通知１７を保持回路１３へ出力する。同様に、リモートインターフェイス部３は、主信号１６を正常受信し、かつ対局正常受信通知１５を検出すると、そのことを示す自対局正常受信通知８を保持回路４へ出力する。以下、これまで述べてきたステップと同様である。
【００４１】
以上のように、実施の形態１によれば、出力遮断制御部に受信断時出力遮断有効信号が出力された場合にのみ主信号遮断動作を行なうことで、伝送路上で主信号が切断された際、デッドロックを引き起こすことなく双方向遮断を行なうことが可能となる。
【００４２】
［実施の形態２］
図４は、この発明の実施の形態２による波長多重伝送システムの構成を示す機能ブロック図である。
【００４３】
図４に示す実施の形態２の波長伝送システムは、トランスポンダ１と監視制御部２３とから構成される一方の波長多重伝送装置と、トランスポンダ１０と監視制御部２４とから構成される他方の波長多重伝送装置とを伝送路を介して対向配置した構成となっている。
【００４４】
監視制御部２３によって監視されるトランスポンダ１は、クライアントインターフェイス部２と、リモートインターフェイス部３と、保持回路４と、出力遮断制御部５とを備え、監視制御部２４によって監視されるトランスポンダ１０は、クライアントインターフェイス部１１と、リモートインターフェイス部１２と、保持回路１３と、出力遮断制御部１４とを備える。
【００４５】
リモートインターフェイス部３は、電源投入またはリセット後にファイバ断などによって主信号１６が切断されると、主信号１６の受信断検出信号１９を出力遮断制御部５に出力する。出力遮断制御部５は、監視制御部２３に主信号１６の受信断検出信号２５を出力する。監視制御部２３は、この主信号１６の受信断検出信号２５を検出しない限り、リモートインターフェイス部３が主信号１６を正常受信したことを示す対局正常受信通知２８を監視制御光２７の空き領域に多重して監視制御部２４に送信する。
【００４６】
同様に、リモートインターフェイス部１２は、電源投入またはリセット後にファイバ断などによって主信号７が切断されると、主信号７の受信断検出信号２１を出力遮断制御部１４に出力する。出力遮断制御部１４は、監視制御部２４に主信号７の受信断検出信号２９を出力する。監視制御部２４は、この主信号７の受信断検出信号２９を検出しない限り、リモートインターフェイス部１２が主信号７を正常受信したことを示す対局正常受信通知３２を監視制御光３１の空き領域に多重して監視制御部２３に送信する。
【００４７】
監視制御部２３は、主信号７の受信断検出信号２５を検出していない状態で対局正常受信通知３２を検出すると、主信号７，１６が正常に送受信されていることを示す自対局正常受信通知２６を保持回路４へ出力する。保持回路４は自対局正常受信通知２６を保持し、以後主信号１６が伝送路上等で切断された場合に主信号７を遮断する許可を与える受信断時出力遮断有効信号９を出力遮断制御部５に出力する。
【００４８】
同様に、監視制御部２４は、主信号１６の受信断検出信号２９を検出していない状態で対局正常受信通知２８を検出すると、主信号７，１６が正常に送受信されていることを示す自対局正常受信通知３０を保持回路１３へ出力する。保持回路１３は自対局正常受信通知３０を保持し、以後主信号７が伝送路上等で切断された場合に主信号１６を遮断する許可を与える受信断時出力遮断有効信号１８を出力遮断制御部１４に出力する。
【００４９】
以後、主信号１６が切断された際の双方向遮断動作は、実施の形態１と同様なのでここでは繰り返さない。なお、実施の形態２の波長多重伝送システムは、監視制御部から出力される監視制御光の空き領域に遠隔リセットコマンドを多重することで、両トランスポンダのリセットを以下のように遠隔操作にて行なうことができる。
【００５０】
まず、図示しない監視装置から監視制御部２３に遠隔リセットコマンドを送信する。遠隔リセットコマンドを受け取った監視制御部２３は、監視するトランスポンダ１に当該遠隔リセットコマンドを出力して、トランスポンダ１のリセットを行なう。遠隔リセットコマンドを受け取った監視制御部２３は同時に、監視制御部２３から出力される監視制御光２７の空き領域に遠隔リセットコマンドを多重することで、監視制御部２４に遠隔リセットコマンドを送信する。遠隔リセットコマンドを受け取った監視制御部２４は、監視するトランスポンダ１０に当該遠隔リセットコマンドを出力して、トランスポンダ１０のリセットを行なう。
【００５１】
このように、監視制御部から出力される監視制御光の空き領域に遠隔リセットコマンドを多重することで、両トランスポンダのリセットを遠隔操作にて行なうことができる。なお、図示しない監視装置から監視制御部２４に遠隔リセットコマンドを送信する場合も同様である。
【００５２】
以上のように、実施の形態２によれば、出力遮断制御部に受信断時出力遮断有効信号が出力された場合にのみ主信号遮断動作を行なうことで、伝送路上で主信号が切断された際、デッドロックを引き起こすことなく双方向遮断を行なうことが可能となる。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５４】
【発明の効果】
以上のように、この発明によれば、出力遮断制御部に受信断時出力遮断有効信号が出力された場合にのみ主信号遮断動作を行なうことで、伝送路上で主信号が切断された際、デッドロックを引き起こすことなく双方向遮断を行なうことが可能となる。
【図面の簡単な説明】
【図１】この発明の実施の形態１による波長多重伝送システムの構成を示す機能ブロック図である。
【図２】この発明の実施の形態１による波長多重伝送システムの構成を示す機能ブロック図である。
【図３】この発明の実施の形態１による波長多重伝送システムのデッドロック防止動作の一例を示すシーケンス図である。
【図４】この発明の実施の形態２による波長多重伝送システムの構成を示す機能ブロック図である。
【図５】従来の波長多重伝送システムを示した機能ブロック図である。
【符号の説明】
１，１０　トランスポンダ、２，１１　クライアントインターフェイス部、３，１２　リモートインターフェイス部、４，１３　保持回路、５，１４　出力遮断制御部、６，１５，２８，３２　対局正常受信通知、７，１６　主信号、８，１７，２６，３０　自対局正常受信通知、９，１８　受信断時出力遮断有効信号、１９，２１，２５，２９　受信断検出信号、２０，２２　出力遮断指示信号、２３，２４　監視制御部、２７，３１　監視制御光。
【図１】
2004015084.tif 000003
【図２】
2004015084.tif 000004
【図３】
2004015084.tif 000005
【図４】
2004015084.tif 000006
【図５】
2004015084.tif 000007